(57)【要約】【課題】周囲を明るくできる照明装置を提供する。【解決手段】照明装置10は、導光板22、拡散板23および発光素子36を備える。導光板22は、側部27でかつ主照射方向に対して反対側に設けられた入射面28、および主照射方向に対向して設けられた出射面29を有し、入射面28から入射する光を導光して出射面29から主照射方向へ出射する。拡散板23は、導光板22の側部27を含む外側を覆う。発光素子36は、光を出射する発光部36aを有し、発光部36aから出射する光が導光板22の入射面28に入射するとともに発光部36aから出射する光の一部が導光板22の側部27を覆う拡散板23の側部32に入射する。【選択図】図１
2014216293.tif 000002
【特許請求の範囲】
【請求項１】
側部でかつ主照射方向に対して反対側に設けられた入射面、および主照射方向に対向して設けられた出射面を有し、入射面から入射する光を導光して出射面から主照射方向へ出射する導光板と；
導光板の側部を含む外側を覆う拡散板と；
光を出射する発光部を有し、発光部から出射する光が導光板の入射面に入射するとともに発光部から出射する光の一部が導光板の側部を覆う拡散板の側部に入射する発光素子と；
を具備していることを特徴とする照明装置。
【請求項２】
導光板の側部が入射面から出射面に亘って湾曲されているとともに、拡散板の側部が導光板の側部に対応して湾曲されている
ことを特徴とする請求項１記載の照明装置。
【請求項３】
導光板の側部と拡散板の側部との間に空間部が形成されている
ことを特徴とする請求項１または２記載の照明装置。
【請求項４】
導光板の少なくとも側部の内側に対向して配置される反射部を備え、
発光素子は、発光部から出射する光の一部が反射部に入射する
ことを特徴とする請求項１ないし３いずれか一記載の照明装置。
【発明の詳細な説明】
【技術分野】
【０００１】
本発明の実施形態は、導光板を用いた照明装置に関する。
【背景技術】
【０００２】
従来、発光素子からの光を導光板に入射させてこの導光板の表面部から光を出射させることにより、均一な面発光が得られるようにした照明装置がある。
【０００３】
導光板は四角形の平板状に形成され、この導光板の端面に対向して発光素子が配置されている。発光素子は基板に実装され、この基板が導光板の周辺部を覆って支持する非透光の枠体に取り付けられている。
【先行技術文献】
【特許文献】
【０００４】
【特許文献１】特開２０１２−１０９０５５号公報
【発明の概要】
【発明が解決しようとする課題】
【０００５】
しかしながら、導光板を用いた照明装置では、導光板の端面に対向して発光素子を配置していることで、発光素子とともに導光板の周辺部を非透光の枠体で覆っているため、照明装置の周囲には光が出射されず、照明装置の周囲が暗く、違和感を感じる場合がある。
【０００６】
本発明が解決しようとする課題は、周囲を明るくできる照明装置を提供することである。
【課題を解決するための手段】
【０００７】
実施形態の照明装置は、導光板、拡散板および発光素子を備える。導光板は、側部でかつ主照射方向に対して反対側に設けられた入射面、および主照射方向に対向して設けられた出射面を有し、入射面から入射する光を導光して出射面から主照射方向へ出射する。拡散板は、導光板の側部を含む外側を覆う。発光素子は、光を出射する発光部を有し、発光部から出射する光が導光板の入射面に入射するとともに発光部から出射する光の一部が導光板の側部を覆う拡散板の側部に入射する。
【発明の効果】
【０００８】
本発明によれば、発光素子からの光の一部を導光板の側部を覆う拡散板の側部に入射させることにより、拡散板から側方へ光を出射させることができ、照明装置の周囲を明るくすることが期待できる。
【図面の簡単な説明】
【０００９】
【図１】第１の実施形態を示す照明装置の発光ユニットの断面図である。
【図２】同上照明装置の断面図である。
【図３】第２の実施形態を示す照明装置の発光ユニットの断面図である。
【発明を実施するための形態】
【００１０】
以下、第１の実施形態を、図１および図２を参照して説明する。
【００１１】
図２に示すように、照明装置10は、周囲形状が円形の天井直付形照明器具であり、天井面11に設置された引掛シーリングボディ12にアダプタ13を介して取り付けられる。
【００１２】
照明装置10は、器具本体14、この器具本体14の下面に取り付けられた発光ユニット15、および器具本体14内に配置された点灯ユニット16を備えている。
【００１３】
そして、器具本体14は、例えば金属製で、下面に発光ユニット15が取り付けられる取付面部17が形成され、この取付面部17の周囲から側面部18が立ち上げられている。器具本体14の上面中央部には、アダプタ13に装着されるアダプタガイド19が取り付けられている。
【００１４】
また、図１に示すように（なお、図１は断面図であるが、光の軌跡を示すために断面記号のハッチングは省略している）、発光ユニット15は、下方を光の主照射方向としており、導光板22、この導光板22を覆う拡散板23、および光を発する発光モジュール24を備えており、下方を光の主照射方向としている。
【００１５】
導光板22は、例えば厚みが２〜２．５ｍｍ程度の透明なアクリル樹脂などの透過率の高い材料により下面から見て円形の外形状に形成されており、中央領域に平板状の発光面部26が形成され、この発光面部26の周辺領域には主照射方向に交差する側部であって主照射方向に対して反対側である上方へ向けて湾曲された側部27が形成されている。導光板22の周辺の端面は、湾曲した側部27によって主照射方向に対して反対側に向けられていて、光を入射する環状の入射面28として形成されている。発光面部26には、主照射方向に対向する下面に光を出射する出射面（発光面）29が形成されている。出射面29には、導光板22内を導光される光を出射させるためのドットパターンが形成されている。導光板22の背面側には例えば反射シートや反射板などの反射手段が設けられている。
【００１６】
拡散板23は、例えば、光透過性を有する乳白色のアクリル樹脂や、透明なアクリル樹脂の内面や外面に乳白色の拡散面処理が施されており、光透過性および光拡散性を有している。拡散板23は、下面から見て円形の外形状に形成されていて、導光板22の発光面部26から側部27に亘っての外側全体を覆うもので、中央領域に平板状の中央面部31が形成され、この中央面部31の周辺領域に主照射方向に対して反対側である上方へ向けて湾曲された側部32が形成されている。中央面部31は、導光板22の発光面部26の出射面29に接触されているか、わずかな隙間を空けて対向されている。また、側部32は導光板22の側部27から離間されて配置されており、側部32と側部27との間には中央面部31と発光面部26との間よりも大きな寸法の隙間となる空間部（外側空間部）33が形成されている。
【００１７】
また、発光モジュール24は、基板35、およびこの基板35に実装された半導体発光素子である複数の発光素子36を備えている。
【００１８】
基板35は、拡散板23の外径と略同じ円板状に形成され、下面が複数の発光素子36を実装する配線パターンが形成された実装面に形成されている。
【００１９】
発光素子36には、例えば、面実装タイプのＳＭＤパッケージ式のＬＥＤ素子が用いられる。このＳＭＤパッケージは、ケース内にＬＥＤベアチップを配置し、蛍光体を含有した封止樹脂で封止したもので、封止樹脂の表面が光を出射する発光部36aとして構成されている。複数の発光素子36は、発光部36aが導光板22の環状の入射面28に対向するように、基板35の実装面に環状に配列されている。発光素子36は、発光部36aの中心が導光板22の入射面28の幅方向の中心よりも外側にオフセットされ、発光部36aの外側の一部が導光板22の入射面28（側部27）より外側に露出していて空間部33を通じて拡散板23に対向され、発光部36aから出射する直接光の一部が拡散板23の側部32に直接入射するように配置されている。なお、複数の発光素子36には、発光色が同色のものを用いてもよいし、発光色が異なるものや発光色を変化させることが可能なものを用いてもよい。
【００２０】
また、点灯ユニット16は、電源入力側がアダプタ13および引掛シーリングボディ12を通じて商用交流電源に接続され、負荷出力側が発光モジュール24の基板35を通じて複数の発光素子36に接続されている。そして、点灯ユニット16により、交流電力を所定の直流電力に変換して発光素子36に供給し、発光素子36を点灯させる。
【００２１】
そして、このように構成された照明装置10の点灯時には、発光素子36の発光部36aから出射された光が、主に、導光板22の入射面28から導光板22内に入射し、導光板22内を反射しながら側部27から発光面部26へ導光されて出射面29から出射され、さらに、拡散板23に入射し、拡散板23の表面から主照射方向に拡散照射される。
【００２２】
さらに、発光素子36の発光部36aから出射された直接光の一部が、空間部33を通じて拡散板23の側部32に直接入射し、拡散板23の側部32から側方や上方に拡散照射される。
【００２３】
そのため、側部32を含む拡散板23の表面全体が、均一な明るさで発光する。
【００２４】
このように、発光素子36からの直接光の一部を導光板22の側部27を覆う拡散板23の側部32に直接入射させることにより、拡散板23から側方へ光を出射させることができ、照明装置10の周囲を明るくすることができる。これにより、照明装置10が設置された天井面11も明るくすることができ、導光板22を用いた照明装置10を設置した場合の違和感を低減できる。
【００２５】
また、導光板22の側部27が入射面28から出射面29に亘って湾曲されているとともに、拡散板23の側部32が導光板22の側部27に対応して湾曲されているため、薄い導光板22および拡散板23を用いても側方へ光を照射することができる。
【００２６】
また、導光板22の側部27と拡散板23の側部32との間に空間部33が形成されているため、発光素子36からの光が拡散板23の側部32の広い範囲に入射しやすくでき、拡散板23の側部32を均一な明るさで発光させることができる。なお、導光板22の側部27と拡散板23の側部32との間の空間部33の距離を調整することにより、拡散板23の側部32から側方へ出射される光の光量を調整することができる。
【００２７】
次に、図３に第２の実施形態を示す。なお、第１の実施形態と同じ構成については同じ符号を用いるとともにその構成および作用効果については説明を省略する。
【００２８】
導光板22の内側に反射板40が配設されている。反射板40は、導光板22の発光面部26の上側に対向する主照射方向反射部41、および導光板22の側部27の内側に対向する反射部としての側面反射部42を備えている。導光板22の側部27と側面反射部42との間には空間部（内側空間部）43が形成されている。
【００２９】
発光素子36は、発光部36aが導光板22の入射面28の外側および内側の両方に突出していて、発光部36aから内側方向へ出射する直接光の一部が側面反射部42に直接入射するように配置されている。
【００３０】
そして、発光素子36の発光部36aから出射された光が、主に、導光板22の入射面28から導光板22内に入射し、導光板22内を反射しながら側部27から発光面部26へ導光されるとともに反射板40の主照射方向反射部41で出射面29へ向けて反射されて出射面29から出射され、さらに、拡散板23に入射し、拡散板23の表面から主照射方向に拡散照射される。
【００３１】
さらに、発光素子36の発光部36aから出射された直接光の一部が、空間部33を通じて拡散板23の側部32に直接入射し、拡散板23の側部32から側方や上方に拡散照射される。
【００３２】
さらに、発光素子36の発光部36aから出射された直接光の一部が空間部43を通じて側面反射部42に直接入射し、側面反射部42で反射した光が導光板22の側部27を透過して拡散板23の側部32から側方や上方に拡散照射される。
【００３３】
そのため、側部32を含む拡散板23の表面全体が、均一な明るさで発光する。
【００３４】
このように、発光素子36からの直接光の一部を側面反射部42で反射させて拡散板23の側部32に入射させることにより、拡散板23から側方へ光を出射させることができ、照明装置10の周囲を明るくすることができる。これにより、照明装置10が設置された天井面11も明るくすることができ、導光板22を用いた照明装置10を設置した場合の違和感を低減できる。
【００３５】
また、導光板22の側部27と側面反射部42との間に空間部43が形成されているため、発光素子36からの光が側面反射部42の広い範囲に入射しやすくでき、側面反射部42の広い範囲から拡散板23の側部32の広い範囲に光を反射させ、拡散板23の側部32を均一な明るさで発光させることができる。なお、導光板22の側部27と側面反射部42との間の空間部43の距離を調整することにより、拡散板23の側部32から側方へ出射される光の光量を調整することができる。
【００３６】
なお、発光素子36は、発光部36aが導光板22の入射面28より内側のみに突出していて、外側には突出しないように構成してもよい。この場合でも、側面反射部42で反射した光を拡散板23の側部32から側方や上方に拡散照射できる。
【００３７】
また、各実施形態において、照明装置10は、丸形に限らず、四角形や多角形に構成してもよい。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    照明装置
22    導光板
23    拡散板
27    側部
28    入射面
29    出射面
32    側部
33    空間部
36    発光素子
36a   発光部
42    反射部としての側面反射部
【図１】
2014216293.tif 000003
【図２】
2014216293.tif 000004
【図３】
2014216293.tif 000005